(57)【要約】【課題】  オーバレイデータをプリンタへ登録する必要なく、帳票印刷を容易化し、複数台の印刷機構を利用し、それぞれの印刷機構に独立な色を割り当てて、マルチカラー印刷を実行する場合に、プリンタの交換、色の異なるトナー交換があった場合でも、簡単な操作で期待するマルチカラーの組合せを変更可能にし、モノクロまたはマルチカラーによる帳票が毎頁異なる印刷を可能にし、かつ、マルチカラー印刷による高速の帳票印刷を可能にする。【解決手段】  複数の印刷機構を連動させ同一色または複数色の印刷を実行する印刷装置において、複数の頁データを同一の用紙１頁に重ね印刷する前に、あらかじめ頁番号に対応した印刷データをどの印刷機構で印刷するかを、PDL中のコマンドで指定して、そのコマンドに従った頁重ね印刷機能を実行する。【選択図】図１
2005225124.tif 000002
【特許請求の範囲】
【請求項１】
複数の印刷機構を連動させ同一色または複数色の印刷を実行する印刷装置において、複数の頁データを同一の用紙１頁に重ね印刷する前に、あらかじめ頁番号に対応した印刷データをどの印刷機構で印刷するかを、ＰＤＬ中のコマンドで指定し、そのコマンドに従った頁重ね印刷機能を実行することを特徴とする印刷制御装置。
【請求項２】
複数の印刷機構を連動させ、同一色または複数色の印刷を実行する印刷装置において、複数の頁データを同一の用紙１頁に重ね印刷する前に、あらかじめ頁番号に対応した印刷データをどの印刷機構で印刷するかを、オペレータ操作パネルより指定し、その指定に従った頁重ね印刷機能を実行することを特徴とする印刷制御装置。
【請求項３】
複数の印刷機構を連動させ、同一色または複数色の印刷を実行する印刷装置において、複数の頁データを同一の用紙１頁に重ね印刷する前に、あらかじめ頁番号に対応した印刷データをどの印刷機構で印刷するかを、オペレータ操作パネルより指定しておき、コマンド指定が無かった場合は、パネルの指定に従った重ね印刷を実行し、コマンド指定が在った場合、コマンドを優先してその指定に従った重ね印刷機能を実行することを特徴とする印刷制御装置。
【請求項４】
請求項１、２、３の何れかに記載の印刷制御装置に関する機能をソフトウェアにより実現し、それらを不揮発メモリへ記憶した記憶媒体。
【発明の詳細な説明】
【技術分野】
【０００１】
本発明は、モノクロ印刷装置、マルチカラー印刷装置、帳票印刷などの印刷制御装置及び記憶媒体に関する。
【背景技術】
【０００２】
Ａ．帳票印刷としての従来技術
（１）固定的な帳票枠等をあらかじめ印刷したプレプリント用紙上に、ホストコンピュータから送信される可変データとして、文字データ、画像データ、グラフィックス等を印刷装置を使用して印刷する。
（２）いわゆるオーバレイ印刷という方式では、固定的な帳票枠等の印刷情報をオーバレイデータとしてあらかじめプリンタに登録し、ホストコンピュータから送信される可変データとして、文字データ、画像データ、グラフィックス等を画像メモリ上でオーバレイデータとともに合成して印刷装置で印刷する。
（３）印刷装置によっては、マクロ機能を持ち、複数のＰＤＬコマンドをマクロと呼ぶ手続き  化したＰＤＬコマンドによる印刷処理を印刷装置に記憶し、このマクロ機能を利用して２と同様機能の印刷を実現できる。
Ｂ．カラー印刷装置としての従来技術
カラープリンタには自然画を再現するフルカラー方式と、２〜多色を再現するマルチカラー方式に大きく分類され、本発明は後者のマルチカラー方式に該当する。マルチカラー方式印刷装置の従来技術としては、1ドラムの２色レーザプリンタがある。
（１）ドラム２色レーザプリンタ
回転する感光体ドラムに２箇所の露光点を設け、第１露光点で赤トナー用の静電潜像を感光体ドラムに露光した後、第一転写点で赤トナーを付着させた後に、感光ドラム周上の赤トナー現像部を通過後、第２露光点で黒トナー用の静電潜像を感光ドラムに露光した後、第２転写点で黒トナーを付着させた後に、感光ドラム周上の黒トナーの現像部を通過後、定着部で用紙に前記２色の画像を定着する。
Ｃ．特許公報としての従来技術
マルチカラープリンタとして２色連続紙プリンタで、印刷位置ずれ、印刷濃度の確認作業が短縮できる（例えば、特許文献1参照）。
【０００３】
少なくとも２色以上の印刷が可能な印刷手段を持ち、ワンタッチキーで即座にそれに登録された相手先名称を印刷可能な印刷装置（例えば、特許文献２参照）。
【０００４】
複数の感光ドラムを使用して２色マルチカラー印刷をする印刷装置（例えば、特許文献３参照）。
【０００５】
プリンタエンジン部の感光帯電方式の２色画像形成装置（例えば、特許文献４参照）。
【０００６】
プロセスカラー像を形成するために３レベル電子写真装置を用いたタンデム式のカラー印刷装置（例えば、特許文献５参照）。
【０００７】
【特許文献１】特開２００１−２０１９０６号公報
【０００８】
【特許文献２】特開２０００−３４１４５８号公報
【特許文献３】特開２０００−２６３９０６号公報
【特許文献４】特開平１１−２３１６０７号公報
【特許文献５】特開平６−１４３６８６号公報
【発明の開示】
【発明が解決しようとする課題】
【０００９】
上記した従来の印刷方式には次の問題点がある。
（１）プレプリント用紙を利用する方法は、ホストから送信して印刷する可変データ(文字、画像、グラフィックス等）の位置情報を定めるため、いったんプレプリント紙を画像としてスキャナなどから読み取り、画面上で可変データの位置を決定する応用ソフトが必要となり、この操作作業は、必ずしも容易ではなく、相当量の作業手数を要する。
【００１０】
またプレプリント紙は、その性質上、それ自体の表の枠、線、図形など印刷オブジェクトが固定化されるため、帳票の異なる応用毎に、異なるプレプリント紙と、その可変データの位置合わせが印刷前に必要となり、操作上不便である。
（２）オーバレイ印刷方式は、印刷する頁のベースとなる画像が不揮発記憶装置に記憶でき、プレプリント紙を使うよりも、帳票イメージを容易に取り替え可能とできる。
【００１１】
オーバレイ印刷では、１頁以上の周期的な有限数の頁で構成するオーバレイとしての印刷画像と、可変データとの画像合成と印刷が可能となる。しかしオーバレイ印刷は、それを登録、削除、変更する仕組みが必要となり、その機能分だけ印刷制御装置のソフトウェアが複雑化する。
【００１２】
また、頁毎に重ねるオーバレイデータは固定された印刷画像となり可変とすることが困難となる。
（３）マクロ機能を利用する印刷では、複数のマクロを定義し、組合せや実行時の引数を変化できるので、可変となる帳票イメージを実現できる、オーバレイ印刷よりも優れた機能を持っている。
【００１３】
しかし、応用プログラムがマクロ登録と実行を行う機能を必要とする分だけ、応用ソフトウェアが複雑化し、かつ使用するＰＤＬに依存する分、応用ソフトの汎用性が失われ、特定ＰＤＬ以外の利用が困難になり易い問題点もある。
（４）前記のマルチカラーレーザプリンタの方式は、エンジン単体で多色の静電潜像形成と現像、転写を行うので、単色レーザプリンタよりも機械的構造が複雑化し、高価になる。また原理的に１頁内にカラー印刷画像を形成させる命令体系をもつＰＤＬを印刷制御装置上で実現する必要があり、単色の印刷画像を形成させる命令体系のＰＤＬを実現する印刷制御装置よりも印刷制御装置上のソフトウェアが複雑化する。
【課題を解決するための手段】
【００１４】
上記課題は、複数の印刷機構を連動させ同一色または複数色の印刷を実行する印刷装置において、複数の頁データを同一の用紙１頁に重ね印刷する前に、あらかじめ頁番号に対応した印刷データをどの印刷機構で印刷するかを、ＰＤＬ中のコマンドで指定し、そのコマンドに従った頁重ね印刷機能を実行、又は、オペレータ操作パネルより指定し、その指定に従った頁重ね印刷機能を実行すること、若しくは、オペレータ操作パネルより指定しておき、コマンド指定が無かった場合は、パネルの指定に従った重ね印刷を実行し、コマンド指定が在った場合は、コマンドを優先してその指定に従った重ね印刷機能を実行することによって解決される。
【発明の効果】
【００１５】
本発明によれば、次の効果を得ることができる。
（１）プレプリント紙を不要として、その帳票印刷と同等の機能を実現できる。
（２）複数色の帳票印刷または、マルチカラー印刷が容易に実現できる。
（３）頁毎に異なる形式の帳票を使用する印刷もできる。
（４）プリンタ制御装置に、オーバレイデータを登録、削除、等のオーバレイデータを管理する機能が不要となる。
（５）マルチカラーレーザプリンタを使う代わりに、構造のより簡素な単色印刷用レーザプリンタを使うので、特に、高速連続用紙のマルチカラー印刷では、より高速の印刷が可能となる。
（６）コマンドまたはパネル操作で、重ね印刷をするか、しないかを指定できる。
７コマンドまたはパネル操作で、偶数ページ、奇数ページの印刷をどの印刷機構で行うかを指定することで、奇数ページを印刷する印刷色、偶数ページを印刷する印刷色を切り替えることができる。
【発明を実施するための最良の形態】
【００１６】
以下、本発明の実施例を図１により説明する。
【００１７】
ホストコンピュータ１から印刷データとしてのＰＤＬ（Page Description Language）２を送信して、印刷制御装置３が受信し、印刷制御装置３の制御により、印刷機構部Ａ５、印刷機構部Ｂ６が連動して制御され、偶数ページと奇数ページの印刷が重ねられてマルチカラー印刷を実行する流れを説明する。
【００１８】
ホストコンピュータ１からは、ＰＤＬ（２）中の印刷データに先立って、ＰＤＬの拡張コマンドとして
@PJL PRINT MODE = TANDEM SIMPLEX
@PJL ODDPAGE = PRINTER-A
@PJL EVENPAGE = PRINTER-B
を指定する。
【００１９】
ここでそれぞれの拡張コマンドのそれぞれは次を意味している。
@PJL PRINT MODE = TANDEM SIMPLEX   頁合成の片面印刷を実行する。
@PJL ODDPAGE = PRINTER-A           奇数頁を印刷機構Ａで印刷する。
@PJL EVENPAGE = PRINTER-B          偶数頁を印刷機構Ｂで印刷する。
【００２０】
印刷制御装置３は、奇数ページ（２ｎ−１）の画像データを送信し、印刷機構５は、ＬＢＰ制御部からのレーザビームを放射し、その画像を感光ドラムに、静電潜像として形成し、その感光ドラム上の静電潜像に本実施例では赤トナーを吸着し、現像する。
【００２１】
同様に、印刷制御装置３は、偶数ページ２ｎの画像データを送信し、印刷機構Ｂ６は、ＬＢＰ制御部からのレーザビームを放射し、その画像を感光ドラムに静電潜像として形成し、その感光ドラム上の静電潜像に、本実施例では黒トナーを吸着し、現像する。
【００２２】
用紙が入力ホッパ８から搬送され、印刷機構Ａ５の転写点に到着すると、印刷機構Ａ５は、形成済みの静電潜像に現像済みの赤の画像を用紙に転写する。
【００２３】
赤の画像の印刷された奇数ページ（２ｎ−１）の用紙が搬送され、印刷機構Ｂ６の転写点に到着すると、印刷機構Ｂ６は、形成済みの静電潜像に現像済みの黒色の画像を奇数ページ（２ｎ−１）に重ねて転写する。
【００２４】
こうして、奇数ページ（２ｎ−１）の画像データと、奇数ページ２ｎの画像データは、１頁に合成されて２色マルチカラーの重ね印刷頁９を印刷し、出力スタッカ１０へ出力する。
【００２５】
以上の手順で、奇数ページと偶数ページの合成されたマルチカラーの印刷が実行される。
【００２６】
なお、前記の拡張コマンドの指定により、次の組合せの印刷が可能となる。
（１）奇数ページを印刷機構Ａで印刷し、偶数ページを印刷機構Ｂで印刷し、重ねページ印刷する。
【００２７】
@PJL PRINT MODE = TANDEM SIMPLEX
@PJL ODDPAGE = PRINTER-A
@PJL EVENPAGE = PRINTER-B
（２）重ね印刷の頁の色と頁の関係を逆にすることもできる。
【００２８】
@PJL PRINT MODE = TANDEM SIMPLEX
@PJL ODDPAGE = PRINTER-B
@PJL EVENPAGE = PRINTER-A
（３）重ね印刷をせずに単色の印刷もできる。
【００２９】
@PJL PRINT MODE = SIMPLEX
@PJL ODDPAGE = PRINTER-A
@PJL EVENPAGE = PRINTER-A
これにより、重ねのない正順の赤色印刷ができる。このとき、用紙は、印刷機構Ｂ６では何も印刷されずに、単に通過のみする。
【００３０】
また、
@PJL PRINT MODE = SIMPLEX
@PJL ODDPAGE = PRINTER-B
@PJL EVENPAGE = PRINTER-B
として、重ねのない正順の黒色印刷ができる。
このとき、用紙は印刷機構Ａでは何も印刷されずに単に通過のみする。
【００３１】
また、
（４）両面印刷
@PJL PRINT MODE = DUPLEX
@PJL ODDPAGE = PRINTER-A
@PJL EVENPAGE = PRINTER-B
として両面印刷を指定することも可能とする。
【００３２】
上記の実施例では、ＰＤＬ（２）に拡張コマンドとして次の形式の機能を持たせている。
・拡張コマンド形式
本発明にかかわる、重ね印刷を実行するための拡張コマンドの定義を示す。
【００３３】
@PJL PRINT MODE = "print operation"
"print operation"の値      印刷動作
SIMPLEX                    片面印刷
TANDEM SIMPLEX              重ね合わせ片面印刷
DUPLEX                      両面印刷
@PJL ODDPAGE = "printer unit number"
"printer unit number"      印刷動作
PRINTER-A                  印刷機構Ａ５で奇数ページを印刷
PRINTER-B                  印刷機構Ｂ６で奇数ページを印刷
@PJL EVENPAGE = "printer unit number"
"printer unit number"      印刷動作
PRINTER-A                  印刷機構Ａ５で偶数ページを印刷
PRINTER-B                  印刷機構Ｂ６で偶数ページを印刷
なお、コマンドでの印刷動作の指定とパネル動作の指定は、次の優先関係をもつ。
・コマンドで印刷動作の指定がなければ、操作パネル指定の印刷指定動作で印刷制御装置は動作する。
・コマンド指定がある場合は、コマンド指定が操作パネル指定の動作より優先する。
・操作パネル設定値は、不揮発メモリに記憶する。適宜、デフォルト値は定めてよい。
【図面の簡単な説明】
【００３４】
【図１】本発明の実施例を示す構成図。
【符号の説明】
【００３５】
１    ホストコンピュータ
２    ＰＤＬ（Page Description Language）
３    印刷制御装置
４    画像生成（印刷制御装置による）
５    印刷機構Ａ
６    印刷機構Ｂ
７    パネル制御装置
８    入力ホッパ
９    頁（２ｎ−１）+頁２ｎ重ね印刷頁
１０  出力スタッカ
【図１】
2005225124.tif 000003